(57)【特許請求の範囲】
【請求項１】
蓋リングに蓋上部材を嵌合一体化することにより蓋が構成され、その蓋上部材の上面に金属製の蓋カバーを取付けてなる炊飯器の蓋内部排水構造において、前記蓋リングの下面にその外周縁に沿って前記蓋上部材側へ凹入した凹部を設けるとともに、その凹部の周壁の外側に蓋上部材との嵌合部を設け、該蓋リングの前記凹部の反対面を部品装着用の凸部とし、前記蓋カバーを前記凸部の範囲内に収まる大きさに形成し、該蓋カバーの外周縁に所要の間隔をおいて設けた多数の係合爪を前記蓋上部材に設けた係合穴に係合固定し、前記蓋リングに搭載された所要の充電部品を前記凸部上で、かつ前記係合穴を避けた位置に配置し、前記凹部の周壁とその外側の前記嵌合部及びその嵌合部に嵌合された前記蓋上部材とによって前記係合穴から流入することがある水の排水経路を形成したことを特徴とする炊飯器の蓋内部排水構造。
【請求項２】
前記蓋カバーを前記凸部の周壁に沿った外周縁を有する大きさに形成したことを特徴とする請求項１に記載の炊飯器の蓋内部排水構造。
【請求項３】
前記凸部に設定した基準面より高い位置に前記充電部品の支持面を形成したことを特徴とする請求項１又は２に記載の炊飯器の蓋内部排水構造。
【請求項４】
前記凸部に設けたリード線引込み穴の周りに前記基準面より高い遮水壁を設けたことを特徴とする請求項１又は２に記載の炊飯器の蓋内部排水構造。
【発明の詳細な説明】
【０００１】
【発明の属する技術分野】
この発明は、炊飯器の蓋に関し、特に金属製の蓋カバーを設けた場合の蓋内部の排水構造に関するものである。
【０００２】
【従来の技術】
炊飯器の蓋は、一般に合成樹脂製の蓋リングに蓋上部材を嵌合一体化することにより構成され、その蓋リングに各種補強手段を施して所要の強度を保持させ、その蓋リングの上面に圧力調整装置等の電気部品が搭載される。また、その蓋リングの下面に蓋ヒーターが設けられ、さらにその蓋ヒーターを覆う放熱板セットが着脱自在に取付けられる（特許文献１）。また、前記のような炊飯器の蓋において、その表面に専らデザイン的な観点から金属製の蓋カバーが装着されることがある（特許文献２）。
【０００３】
前記特許文献２の場合の蓋カバーは、その中央部分において蓋上部材にねじ止めされるが、その周辺部においては該蓋カバーの外周縁に所要間隔をおいて巻き曲げによる下向きの係合凸部を多数設け、これを蓋上部材に設けた係合穴に係合させることにより浮き上がりを防止するようにしている。
【０００４】
【特許文献１】
特開２００２−９５５８０号公報（図１参照）
【特許文献２】
特開２００２−４４３号公報（段落００４７、図３、図４）
【０００５】
【発明が解決しようとする課題】
前記の特許文献２のように金属製の蓋カバーを設けた場合、その外周縁を蓋上部材に結合する処理が問題となる。すなわち、蓋カバーの外周縁を確実に蓋上部材に固定しようとすれば、前記のように蓋上部材の一部に係合穴を設けこれに蓋カバーの係合凸部を係合させる手段が一般的に採られるが、そのような係合穴を設けると、これに挿通した係合凸部とのすき間から蓋の洗浄時等において水が浸入し、その水が内部の充電部品に接触するおそれがある。水の浸入を防止するために前記のすき間にシリコーンシーラントのようなシール剤を充填すればよいが、充填のための手間がかかり製品のコスト高につながる問題がある。
【０００６】
特許文献２においては、係合凸部が巻き曲げ形状をなし、その円弧部分が係合穴に接触する構造になっているため水は浸入し難いとして格別な水対策は施しておらず、万一水が浸入した場合、充電部品に接触させることなく排水する具体的な手段については開示されていない。また、特許文献２の場合、仮りに水が浸入し難いとしても多数の係合凸部を形成するために逐一巻き曲げ加工を施すことは手間がかかり、やはり製品のコスト高の原因となることは否めない。
【０００７】
そこで、この発明は低コストで金属製蓋カバーを取付けることができるようにする一方、水が浸入しても充電部品に接触するおそれのない部分に滞留するか、又はその部分を避けて排出されるようにした排水構造を提供することを課題とする。
【０００８】
【課題を解決するための手段】
上記の課題を解決するために、この発明は、蓋リングに蓋上部材を嵌合一体化することにより蓋が構成され、その蓋上部材の上面に金属製の蓋カバーを取付けてなる炊飯器の蓋内部排水構造において、前記蓋リングの下面にその外周縁に沿って前記蓋上部材側へ凹入した凹部を設けるとともに、その凹部の周壁の外側に蓋上部材との嵌合部を設け、該蓋リングの前記凹部の反対面を部品装着用の凸部とし、前記蓋カバーを前記凸部の範囲内に収まる大きさに形成し、該蓋カバーの外周縁に所要の間隔をおいて設けた多数の係合爪を前記蓋上部材に設けた係合穴に係合固定し、前記蓋リングに搭載された所要の充電部品を前記凸部上で、かつ前記係合穴を避けた位置に配置し、前記凹部の周壁とその外側の前記嵌合部及びその嵌合部に嵌合された前記蓋上部材とによって前記係合穴から流入することがある水の排水経路を形成した構成としたものである。
【０００９】
前記の構成によると、蓋カバーの係合爪に対向した係合穴は、充電部品を避けた位置に設けられるので、積極的にシールを施さない係合穴のすき間から水が浸入することがあっても、その水が直接充電部品にかかることがない。その水は前記の排水経路に集められ、蒸発するか、又は蓋の開放時に流出するなどして外部に排出される。
【００１０】
前記蓋カバーは、前記凸部の周壁（前記凹部の周壁と一致する部分）に沿った外周縁を有する大きさに形成されることがある。蓋カバーの最も大きいケースである。この場合はその蓋カバーの外周縁に設けた係合爪に対向した係合穴が、該周壁の外側にそって形成される前記の排水経路上又はその近辺に臨む。従って、係合穴のすき間から浸入した水は、直接その排水経路に落下する。
【００１１】
なお、前記凸部上に設定した基準面より高い位置に前記充電部品の支持面を形成した構成や、前記凸部に設けられたリード線引込み穴の周りに前記基準面より高い遮水壁を設けた構成をとることにより、凸部上に浸入した水が充電部品に接触することが避けられる。
【００１２】
【発明の実施の形態】
以下、添付図面に基づいてこの発明の実施形態を説明する。図１はジャー式の圧力炊飯器の一例を示している。この炊飯器は、炊飯器本体１と、ヒンジピン２（図２参照）により炊飯器本体１に開閉自在に取付けられた蓋３と、その蓋３の内面に着脱自在に取付けられた放熱板セット４からなる。炊飯器本体１に炊飯鍋５が収納される。蓋３は、図２、図３に示したように、蓋リング６に蓋上部材７を嵌合一体化したものであり、蓋上部材７の上面に金属製の蓋カバー８が取付けられる。
【００１３】
蓋リング６は、図３、図４に示したように、その下面にその外周縁に沿った円形の凹部９を設けるとともにその凹部９の周壁１１の外側に蓋上部材７との嵌合部１２を設けている。前記凹部９の中央部に蓋ヒーター１３が固定され、さらにその下面に該蓋ヒーター１３を覆う前記の放熱板セット４が着脱自在に取付けられる。蓋リング６は、前記凹部９の反対面が部品装着用の凸部１４となっており、その凸部１４にソレノイド１５を含む圧力調整装置１６、おねば除去部１７、蓋ヒーター１３のリード線引込み穴１８（図２、図６参照）等が設けられる。また、蓋リング６には、その強度を付与するための多数の補強リブ１９が設けられる。さらに、金属製の補強部材２１と補強ピン２２を組み合わされることにより蓋リング６を補強し、全体として所要の強度を付与している。また、前記補強部材２１の前部にフック２３、後端部に前記のヒンジピン２及びヒンジばね２４が装着される。なお、圧力調整装置１６、おねば除去部１７、蓋ヒーター１３のリード線引込み穴１８等は、補強部材２１に設けた異形穴２５や角穴２６から上方に露出される（図７参照）。
【００１４】
前記の蓋リング６の凸部１４において、おねば除去部１７が立ち上がった面Ｐ（図３から図５参照）を基準面に設定した場合、前記のソレノイド１５の支持台２０の支持面は基準面Ｐより高い位置に設けられる。また、前記のリード線引込み穴１８も高い遮水壁３０で囲まれる（図９参照）。
【００１５】
前記の蓋上部材７は、図２から図４に示したように、前記蓋リング６の上面をカバーするとともに、その外周縁が前記蓋嵌合部１２において嵌合一体化される。蓋上部材７は、図１０に示したように、周側壁２８と上面部２９とからなり、その上面部２９の周側壁２８との境界部分に蓋カバー８の嵌合溝３１が無端状に形成される。この嵌合溝３１は前述した蓋リング６の周壁１１の上方に対向した位置に形成される（図４参照）。周側壁２８の後端部にはヒンジ用の凹欠部３２が設けられ、また上面部２９の後端部に片寄って浅い凹部３３が設けられる。この凹部３３は一辺が前記の嵌合溝３１に達した前後方向に長い長方形のものであり、中央部分に蒸気口セット４５（図３参照）の装着穴３４が設けられる。その凹部３３に２箇所のビス穴３５、３５が設けられる。またその凹部３３の外側において、多数の浅い角形保温凹部３６が設けられる。前記の嵌合溝３１の溝底には周方向に一定間隔をおいて多数の係合穴３７が設けられる（図１０、図１１参照）。
【００１６】
蓋カバー８は、ステンレススチール製の金属板でなり、その外周縁４０が全周にわたって下向きに屈曲して形成される。外周縁４０は蓋上部材７の嵌合溝３１に合致する形状である。前述のように、嵌合溝３１は蓋上部材７の上面部２９の外周縁の形状とほぼ一致し、また、前記蓋リング６の周壁１１の外周形状ともほぼ一致するので、蓋カバー８の外周縁４０の形状は上面部２９又は周壁１１の外周形状にもほぼ合致する形状である。前記外周縁４０に下向きの係合爪４２が、前記の蓋上部材７の係合穴３７に対向して多数設けられる。また、蓋カバー８の後端縁に、一辺が該後端縁に沿った長方形の凹部３８が形成され、その凹部３８に蒸気口セット４５（図３参照）の装着穴３９及びビス穴４１、４１が設けられる。その凹部３８と同形状の凸形が裏面側に突き出す。また、装着穴３９の内周縁にも対向２箇所に同様の係合爪４２’が設けられ、蓋上部材７の装着穴３４の周縁にもこれと対向した係合穴３７’が設けられる。
【００１７】
前記の蓋カバー８を蓋上部材７に被せ、凹部３８を凹部３３に嵌合するとともに、装着穴３４，３９、ビス穴３５、４１を合致させ、さらに外周縁４０を嵌合溝３１に嵌合する。また同時に各係合爪４２、４２’を対向した係合穴３７、３７’に挿入しその先端部を屈曲させる（図４（ｂ）参照）。これにより、蓋カバー８が蓋上部材７の上面に密着状態に固定され、同時に蓋上部材７の角形保温凹部３６が蓋カバー８で閉塞され、各凹部３６が独立した保温部を形成する。
【００１８】
前記のようにして蓋カバー８が一体化された蓋上部材７を、蓋リング６上に被せるとともにその外周縁を蓋リング６の嵌合部１２に嵌合し、前記の２箇所のビス穴４１、３５にビス４３、４３（図３参照）を螺入して、蓋リング６のボス部４４、４４に固定する。その後、装着穴３４、３９の部分に蒸気口セット４５の筒部４６を挿入する。蒸気口セット４５の板部分は前記蓋カバー８の凹部３８に合致する。
【００１９】
蓋カバー８の各係合爪４２を係合穴３７に挿通した部分においては、図４において明らかなように、係合穴３７の一部がすき間となって残る。このため、水の浸入が避けられないが、蓋３の内部においては、そのすき間の下方に蓋リング６の周壁１１、嵌合部１２、蓋上部材７の外周壁によって蓋両側面に沿った２箇所の排水経路５０が形成される。従って、前記のすき間から浸入した水は周壁１１を流下して排水経路５０に溜まる。溜まった水は、自然に蒸発するか、蓋３が開放された際にヒンジ側の凹欠部３２から外部に排出される。
【００２０】
また、前記の装着穴３９に設けられた係合爪４２’を係合穴３７’に挿入した部分においても同様のすき間が生じ（図５参照）、そのすき間から水が浸入することがあり得るが、その場合は、水は蓋リング６の凸部１４の基準面Ｐ上に落下する。凸部１４上には充電部品であるソレノイド１５が設けられているが、ソレノイド１５はその支持台２０の支持面が基準面Ｐより高い位置に形成されているので、その水がソレノイド１５に接触することは避けられる。同様のことはリード線引込み穴１８についてもいえる。即ち、この場合はリード線引込み穴１８を囲む遮水壁３０が基準面Ｐより高いため、水がその中に浸入することが避けられる。凸部１４上に落下した水も自然乾燥するか、又は蓋３の開放時に前記の凹欠部３２から外部に放出される。また、場合によっては凸部１４上から前記の排水経路５０に流入することもある。
【００２１】
実施形態の炊飯器は以上のようなものであり、圧力調整装置１６の作動により所定の圧力で炊飯を行う。炊飯に伴って発生する蒸気は、放熱板セット４と蓋ヒーター１３の各蒸気穴４７、４７’を通っておねば除去部１７の底穴４８からおねば除去部１７の内部に入る。おねば除去部１７はその底穴４８より大径であるので、この内部に入った蒸気は圧力が急激に下がることによりおねばが分離され、蒸気口４９から外部に放出される。分離されたおねばは、おねば除去部１７に溜まり炊飯の終了後炊飯鍋５内に戻る。
【００２２】
以上述べた実施形態においては、蓋カバー８が蓋リング６の周壁１１に沿った外周縁４０を有する最大形状のものを示しているが、蓋カバー８の大きさは周壁１１よりも内側にその外周縁４０があるようなサイズのものでもよい。この場合は、その蓋カバー８の外周縁４０に対向した嵌合溝３１、係合爪４２に対向した係合穴３７は、凸部１４上の充電部品を避けた位置において蓋上部材７に設けられる。この場合も、係合穴３７のすき間から水が浸入することがあり得るが、その水が直接充電部品に接触することは避けられる。また、凸部１４上に落下した水は、そのまま滞留するか又は凸部１４上から周囲の排水経路５０に流入し、蒸発するか又は蓋３の開放時に外部に排出される。
【００２３】
【発明の効果】
この発明は以上のようなものであり、炊飯器の蓋上部材の上面に金属製の蓋カバーを取付ける場合において、その外周縁の固定構造は係合爪を蓋上部材の係合穴に差込んで係合させる簡単な構造であり、シール剤を充填する手間がかからないので、炊飯器の蓋の生産能率が向上する。また、係合穴のすき間から水が浸入することがあったとしても、係合穴の下方には充電部品が存在せず、また外周部に排水経路が形成されているので、その排水経路に水を貯留させ、蒸発又は蓋開放時の流出等により外部に排出させることができる。また、蓋リングの部品装着面に水が浸入することがあったとしても、部品の支持面が基準面より高く、また基準面より高い遮水壁で囲まれている。従って、いずれの場合も水が充電部品に接触することを防止できる。
【図面の簡単な説明】
【図１】実施形態の蓋開放状態の斜視図
【図２】同上の蓋の一部切欠き省略平面図
【図３】図２のＡ−Ａ線の拡大断面図
【図４】（ａ）は図２のＢ−Ｂ線の断面図、（ｂ）はその一部拡大図
【図５】図３のＣ−Ｃ線の一部省略拡大断面図
【図６】実施形態の一部省略斜視図
【図７】同上の蓋の一部の平面図
【図８】同上の蓋の一部の分解斜視図
【図９】同上の蓋リングの斜視図
【図１０】同上の蓋の一部の分解斜視図
【図１１】同上の蓋の一部の裏面側から見た分解斜視図
【符号の説明】
１  炊飯器本体
２  ヒンジピン
３  蓋
４  放熱板セット
５  炊飯鍋
６  蓋リング
７  蓋上部材
８  蓋カバー
９  凹部
１１  周壁
１２  嵌合部
１３  蓋ヒーター
１４  凸部
１５  ソレノイド
１６  圧力調整装置
１７  おねば除去部
１８  リード線引込み穴
１９  補強リブ
２０  支持台
２１  補強部材
２２  補強ピン
２３  フック
２４  ヒンジばね
２５  異形穴
２６  角穴
２７  凹欠部
２８  周側壁
２９  上面部
３０  遮水壁
３１  嵌合溝
３２  凹欠部
３３  凹部
３４  装着穴
３５  ビス穴
３６  角形保温凹部
３７、３７’  係合穴
３８  凹部
３９  装着穴
４０  外周縁
４１  ビス穴
４２、４２’  係合爪
４３  ビス
４４  ボス部
４５  蒸気口セット
４６  筒部
４７、４７’  蒸気穴
４８  底穴
４９  蒸気口
５０  排水経路
【図１】
0003710796.tif 000002
【図２】
0003710796.tif 000003
【図３】
0003710796.tif 000004
【図４】
0003710796.tif 000005
【図５】
0003710796.tif 000006
【図６】
0003710796.tif 000007
【図７】
0003710796.tif 000008
【図８】
0003710796.tif 000009
【図９】
0003710796.tif 000010
【図１０】
0003710796.tif 000011
【図１１】
0003710796.tif 000012